(57)【要約】      （修正有）【課題】記録装置の挿脱操作が容易で、サイズの異なる記録装置の接続が可能な記録装置の接続装置を提供する。【解決手段】ハードディスクドライブ装置を接続する接続装置であって、ハードディスクドライブ装置ＨＤを収容する案内装置２を、直交する平板２１と平板２２で構成し、それぞれの平板２１、２２を水平面に対して傾斜するように、かつ接続部３に向けて下降傾斜するように配置する。ハードディスクドライブ装置ＨＤの自重によって、接続方向の挿脱操作がガイドされる構成とする。【選択図】図３
0003198666.tif 000002
【実用新案登録請求の範囲】
【請求項１】
記録媒体を収容する筐体を有する記録装置を接続する接続装置であって、
前記記録装置の接続端子に接続される接続端子部と、
前記接続端子部に前記接続端子を挿脱する方向に沿って配置され、前記記録装置を載置しつつ、その挿脱移動を案内する案内装置とを有し、
前記案内装置は、前記記録装置の筐体側面の内、直交する２側面にそれぞれ下側らか接触して案内する第１の案内部と第２の案内部とを備え、
前記第１の案内部と第２の案内部は、前記記録装置の挿入方向が水平面に対して鋭角をなして下降するように、かつ前記筐体の前記２側面が共に水平面に対して傾斜した姿勢を維持するように、前記記録装置を案内することを特徴とする記録装置の接続装置。
【請求項２】
前記第１の案内部及び前記第２の案内部は、平面である請求項１に記載の記録装置の接続装置。
【請求項３】
前記接続端子部と前記案内装置とは、複数設けられている請求項１又は２に記載の記憶装置の接続装置。
【請求項４】
前記接続端子部は、複写元記録装置から複写先記録装置に記録内容をコピーするコピー装置における複写先記録装置の接続端子部である請求項１〜３のいずれか１に記載の記録装置の接続装置。
【考案の詳細な説明】
【技術分野】
【０００１】
この考案は、ハードディスクドライブ装置等の記憶装置を電気的に接続する接続装置にかかり、詳しくは、接続端子に記憶装置を着脱する際の挿脱操作を用意とする記憶装置の接続装置に関するものである。
【背景技術】
【０００２】
パーソナルコンピュータ等のような記録装置が内蔵されている製品を大量に製造するには、オペレーションシステム等の基本ソフトウエアーを、各製品の記録装置に同時に記録することができれば都合が良い。従来では、ハードディスクドライブ装置に代表される記録装置に対して、複写元のハードディスクドライブ装置に必要な情報を記録しておき、該複写元ハードディスクドライブ装置から、複数の複写先ハードディスクドライブ装置へ情報をコピーするコピー装置が提案されている。作業が行われていた。このコピー作業には、複数の複写先ハードディスクドライブ装置を接続する接続装置が用いられ、この接続装置は、端子の機械的な位置が同じ複写先ハードディスクドライブ装置を複数接続することができるように構成されていた。
【先行技術文献】
【特許文献】
【０００３】
【特許文献１】特開２００７−４８４１５号
【考案の概要】
【考案が解決しようとする課題】
【０００４】
上記従来の接続装置は、レール２２１、２２２上にハードディスクドライブ装置を載置し、このレール２２１、２２２に沿ってハードディスクドライブ装置をスライドさせて、接続部２４にハードディスクドライブ装置を接続する操作が行われる。接続操作をする際、ハードディスクドライブ装置側の接続部Ｈ２ｓと、接続装置側の接続部２４とが滑らかに接合できるように、片方のレール２２２側にハードディスクドライブ装置を押し付けながら接続方向に移動させる、といった動作が行われる。このように、ハードディスクドライブ装置に２方向に力をくわえる作業は、煩雑であり、作業効率の低下を招くものである。また、多数のハードディスクドライブ装置を接続するために、多数の収容部３１ａ〜３１ｃを備えた接続装置では特に作業者の疲労を誘う度合いも高くなる。
【０００５】
また、筐体のサイズの異なるハードディスクドライブ装置を接続する場合には、上記従来の構成では、ハードディスクドライブ装置を収容部３１ａ〜３１ｃの大きさにあったサイズにするために、アダプタを取り付ける必要があり、汎用性に乏しいといった問題もあった。
【０００６】
さらに、ハードディスクドライブ装置のように駆動装置を有する記録装置では、動作中に振動が発生するため、該振動によって接続部分の接続が外れたり、収容部内で記録装置の位置が動く恐れがあった。
この考案は、記録装置の挿脱操作が容易で、サイズの異なる記録装置の接続が可能な記録装置の接続装置を提供することを目的とするものである。
【課題を解決するための手段】
【０００７】
以上のような問題を解決する本考案は、以下のような構成を有する。
（１）記録媒体を収容する筐体を有する記録装置を接続する接続装置であって、
前記記録装置の接続端子に接続される接続部と、
前記接続部に前記接続端子を挿脱する方向に沿って配置され、前記記録装置を載置しつつ、その挿脱移動を案内する案内装置とを有し、
前記案内装置は、前記記録装置の筐体側面の内、直交する２側面にそれぞれ下側らか接触して案内する第１の案内部と第２の案内部とを備え、
前記第１の案内部と第２の案内部は、前記記録装置の挿入方向が水平面に対して鋭角をなして下降するように、かつ前記筐体の前記２側面が共に水平面に対して傾斜した姿勢を維持するように、前記記録装置を案内することを特徴とする記録装置の接続装置。
【０００８】
（２）前記第１の案内部及び前記第２の案内部は、平面である上記（１）に記載の記録装置の接続装置。
【０００９】
（３）前記接続端子部と前記案内装置とは、複数設けられている上記（１）又は（２）に記載の記憶装置の接続装置。
【００１０】
（４）前記接続端子部は、複写元記録装置から複写先記録装置に記録内容をコピーするコピー装置における複写先記録装置の接続端子部である上記（１）〜（３）のいずれか１に記載の記録装置の接続装置。
【考案の効果】
【００１１】
請求項１記載の考案によれば、第１の案内部と第２の案内部に、記録装置の筐体の直交する２側面が自重接触しつつ、傾斜によって接続部へ案内される。また、接続状態において、自重により常時接続方向に記録装置が押されているので、接続状態に不都合が生じることが抑制される。また、第１の案内部と第２の案内部によって、２側面が水平に対して傾斜するように案内されているため、各２側面は自重により第１の案内部と第２の案内部に常時接触するように力が加わることとなり、記録装置の位置を保持する作用が発揮される。また、このような作用を、位置保持機構を別途設けることなく、発揮させることができる。
【００１２】
請求項２記載の考案によれば、第１の案内部と第２の案内部は平面であるので、より滑らかに記録装置を案内することができるとともに、サイズの異なる記録装置をも案内することができ、汎用性が確保される。
【００１３】
請求項３に記載の考案によれば、記録装置の自重により位置決めと脱着時の移動案内がなされ、構造が簡単であることから、多数の記録装置を同時に接続する接続装置に用いることによって、操作効率を一層向上させることができる。
【００１４】
請求項４に記載の考案によれば、コピー装置の接続装置として用いることによって、同時に多数の記録装置にデータをコピーするにあたり、短時間で記録装置の脱着をすることができ、作業効率が向上する。
【図面の簡単な説明】
【００１５】
【図１】本考案の記録装置の接続装置の全体正面図である。
【図２】本考案の記録装置の接続装置の全体側面図である。
【図３】案内装置の全体斜視図である。
【図４】案内装置の断面正面図である。
【図５】案内装置の断面側面図である。
【図６】筐体の内部に収納されているコピー装置の回路構成を示すブロック図である。
【考案を実施するための形態】
【００１６】
以下、本考案の好適実施形態について、添付図面に基づいて詳細に説明する。
図１は、本考案の記録装置の接続装置の全体正面図、図２は、同じく全体側面図である。なお、図中、便宜上、装置の左右方向をＸ軸、奥行き方向をＹ軸、高さ方向をＺ軸とする。従って、ＸＹ平面は水平面となり、後述する筐体１０の底面は、ＸＹ平面に平行となり、ＹＺ平面は垂直平面であって、筐体１０の側面はＹＺ平面に平行となっている。
【００１７】
図１に示されているように、本考案の記録装置の接続装置は、ハードディスクドライブ装置ＨＤを接続する接続装置１であり、内部にコピー装置を内蔵する筐体１０を有する。筐体１０には、正面側に記録装置であるハードディスクドライブ装置ＨＤを接続する記録装置収容部１１、１２を上下２段に配置されており、筐体１０の上面には、コピー装置の状態等を表示する表示部１４、作業操作を入力する操作部１５とが設けられている。また、左右側面には、取手１３ａ、１３ｂが設けられている。
【００１８】
図３は、案内装置２の全体斜視図、図４は、同じく断面正面図、図５は、同じく断面側面図である。記録装置収容部１１、１２には、それぞれ案内装置２−１〜２−１６が、Ｙ軸方向に配列されて固定されている。案内装置２−１〜２−１６の内奥部には、接続部３がそれぞれ設けられている。
【００１９】
記録装置収容部１１、１２に設けられている案内装置２−１〜２−１６は、すべて同じ構成であるので、１つの案内装置について、図３〜図５に基づいて説明し、他の案内装置については説明を省略する。
【００２０】
案内装置２は、３枚の平板２１、２２、２４を有している。平板２１、２２、２４は、載置されるハードディスクドライブ装置ＨＤの筐体４０の大きさに応じた大きさに形成されており、筐体４０の平面４１と側面４２の大きさよりも若干大きめに構成されている。第１の案内部である平板２１は、筐体４０の平面４１に対応して、第２の案内部である平板２２は、平面４１に直交する側面４２に対応して、相互に直交するように組み立てられており、それぞれ水平面（ＸＹ平面）に対して傾斜した姿勢で筐体１０に固定されている。また平板２４は、挿入されるハードディスクドライブ装置ＨＤの接続端子部４５が設けられた側面４７に対応して設けられており、平板２１、２２に対してそれぞれ直交して設けられている。さらに、平板２４には、接続端子部４５に接続される接続部３が設けられている。
【００２１】
平板２１、２２の傾斜角度について詳説すると、図４に示されているように、Ｘ軸方向に対して、平板２１は、鋭角αとなるように配置され、平板２２は、鋭角γとなるように配置され、α＋γ＋９０°＝１８０°となるように構成されている。また、図５に示されているように、平板２１と平板２２との交差する端辺２３は、Ｙ軸に対してなす角度が鋭角βとなるように配置されている。
【００２２】
案内装置２内に収容されるハードディスクドライブ装置ＨＤは、まず平板２１、２２の上面に載置され、傾斜角α、γによって、端辺２３に向けてスライドし、筐体４０の平面４２と側面４２の間の端辺４６が、案内装置２の端辺２３に重なる方向に常時自重が作用するように構成される。傾斜角α、γは、例えば、３０〜６０度の範囲内であると好ましく、傾斜角βは、３０〜８０度の範囲内であると好ましい。
【００２３】
また、傾斜角βによって、案内装置２内のハードディスクドライブ装置ＨＤは、接続部３へ向けてスライドし、接続端子部４５が接続部３に接続する方向に、常時自重が作用する構成となっている。接続端子部４５と接続部３とが接続された状態では、ハードディスクドライブ装置ＨＤの側面４７が平板２４の内側面に面接触する。このように、接続端子部４５と接続部３とが接続された状態では、ハードディスクドライブ装置ＨＤは、案内装置２内において、平板２１、２２、２４の各内側面によって、保持される構成となっている。
【００２４】
他の種類のハードディスクドライブ装置においても、平板２１、２２の面積を十分大きくすれば、筐体４０に対する接続端子部４５の位置が同じであることを条件に、筐体のサイズが異なる装置であっても、同様の作用効果を発揮させることができる。異型の筐体に応じて用意するアダプタも不要となる。
【００２５】
また、接続部３の位置を適宜変更可能な構成とすれば、筐体４０に対する接続端子部４５の位置が異なる装置であっても、接続可能に構成することもできる。
【００２６】
以上のような構成において、平板２１、２２において、ハードディスクドライブ装置ＨＤが載置される面２１１、２２１が案内面として作用する。接続中に装置から振動が発生した場合、ハードディスクドライブ装置ＨＤの端辺４６が、案内装置２の端辺２３に重なる方向に常時自重が作用するので、簡易な構成で位置決め作用が確実に発揮される。
【００２７】
以上は、ハードディスクドライブ装置を接続する場合について説明したが、他の記録装置を接続する装置として使用することもできる。特に駆動装置を有し、振動等が発生する装置の接続装置として使用することが有用である。
【００２８】
図６は、筐体１０の内部に収納されているコピー装置５の回路構成を示すブロック図である。コピー装置５は、マザーボード上に中央処理装置ＣＰＵ５１と、メモリＭ５２を備え、バスライン５３を介してハードディスクドライブ装置ＨＤが接続される複数の接続部３、３・・・が接続され、さらに既述の表示部１４と操作部１５か接続されている。案内装置２−１の接続部３に複写元ハードディスクドライブ装置を接続し、他の案内装置２−２〜２−１６の接続部３に接続された複写先ハードディスクドライブ装置ＨＤに、データをミラーコピーする。
【００２９】
中央処理装置ＣＰＵ５１は、案内装置２−１内に収納されているハードディスクドライブ装置ＨＤから所定量のデータを読み込み、読み出されたデータは、一旦メモリＭ５２に蓄積される。メモリＭ５２に蓄積されたデータは、ライトコマンドとともに、案内装置２−１〜２−１６に接続されたハードディスクドライブ装置ＨＤに順に供給され、各ハードディスクドライブ装置ＨＤに、メモリＭ５２に蓄積されたデータがそれぞれ書き込まれる。以上のコピー処理を繰り返すことによって、コピー処理が実行され、複写元ハードディスクドライブ装置ＨＤに記録それている全てのデータが、全ての複写先ハードディスクドライブ装置ＨＤにコピーされたとき、処理が終了する。処理の終了は表示部１４のディスプレイに表示される。
【符号の説明】
【００３０】
１  記録装置の接続装置
ＨＤ  ハードディスクドライブ装置
２  案内装置
２１  平板
２２  平板
３  接続部
４０  筐体
【図１】
0003198666.tif 000003
【図２】
0003198666.tif 000004
【図３】
0003198666.tif 000005
【図４】
0003198666.tif 000006
【図５】
0003198666.tif 000007
【図６】
0003198666.tif 000008
【手続補正書】
【提出日】平成27年5月13日(2015.5.13)
【手続補正１】
【補正対象書類名】明細書
【補正対象項目名】０００７
【補正方法】変更
【補正の内容】
【０００７】
以上のような問題を解決する本考案は、以下のような構成を有する。
（１）記録媒体を収容する筐体を有する記録装置を接続する接続装置であって、
前記記録装置の接続端子に接続される接続部と、
前記接続部に前記接続端子を挿脱する方向に沿って配置され、前記記録装置を載置しつつ、その挿脱移動を案内する案内装置とを有し、
前記案内装置は、前記記録装置の筐体側面の内、直交する２側面にそれぞれ下側から接触して案内する第１の案内部と第２の案内部とを備え、
前記第１の案内部と第２の案内部は、前記記録装置の挿入方向が水平面に対して鋭角をなして下降するように、かつ前記筐体の前記２側面が共に水平面に対して傾斜した姿勢を維持するように、前記記録装置を案内することを特徴とする記録装置の接続装置。
【手続補正２】
【補正対象書類名】実用新案登録請求の範囲
【補正対象項目名】全文
【補正方法】変更
【補正の内容】
【実用新案登録請求の範囲】
【請求項１】
記録媒体を収容する筐体を有する記録装置を接続する接続装置であって、
前記記録装置の接続端子に接続される接続端子部と、
前記接続端子部に前記接続端子を挿脱する方向に沿って配置され、前記記録装置を載置しつつ、その挿脱移動を案内する案内装置とを有し、
前記案内装置は、前記記録装置の筐体側面の内、直交する２側面にそれぞれ下側から接触して案内する第１の案内部と第２の案内部とを備え、
前記第１の案内部と第２の案内部は、前記記録装置の挿入方向が水平面に対して鋭角をなして下降するように、かつ前記筐体の前記２側面が共に水平面に対して傾斜した姿勢を維持するように、前記記録装置を案内することを特徴とする記録装置の接続装置。
【請求項２】
前記第１の案内部及び前記第２の案内部は、平面である請求項１に記載の記録装置の接続装置。
【請求項３】
前記接続端子部と前記案内装置とは、複数設けられている請求項１又は２に記載の記憶装置の接続装置。
【請求項４】
前記接続端子部は、複写元記録装置から複写先記録装置に記録内容をコピーするコピー装置における複写先記録装置の接続端子部である請求項１〜３のいずれか１に記載の記録装置の接続装置。